(57)【要約】【課題】LTE-TDDとLTE-FDDとの間の共通性を最大にして、共同標準化及び具現化努力を最小にすると共に、適合性や同じ通信システムにおけるこれら２つのＬＴＥモードの共存性を最大にする。【解決手段】装置が、少なくとも、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリング、のうちの少なくとも２つに向けられたサブフレームから２つ以上のサブフレームを選択し；その選択された２つ以上のサブフレームを使用することによりアップリンク及びダウンリンクシグナリングのためのフレキシブルなサブフレーム構成を得るために周期的なシグナリングパターンを形成する。【選択図】図８
2015173492.tif 000002
【特許請求の範囲】
【請求項１】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、前記装置が、少なくとも：
次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリング、のうちの少なくとも２つに向けられたサブフレームから２つ以上のサブフレームを選択し；及び
前記選択された２つ以上のサブフレームを使用することによりアップリンク及びダウンリンクシグナリングのためのフレキシブルなサブフレーム構成を得るために周期的なシグナリングパターンを形成する；
ようにさせるよう構成された、装置。
【請求項２】
前記周期的なシグナリングパターンは、次のもの、即ちハイブリッド自動リピート要求シグナリングタイミング、アップリンクハイブリッド自動リピート要求プロセス番号、ダウンリンクハイブリッド自動リピート要求プロセス番号、アップリンクスケジューリングタイミング、及びダウンリンクスケジューリングタイミング、のうちの少なくとも１つに関連している、請求項１に記載の装置。
【請求項３】
前記フレキシブルなサブフレーム構成は、更に、アップリンク及びダウンリンクシグナリングのためのアップリンクサブフレーム、ダウンリンクサブフレーム、特殊なサブフレーム及びフレキシブルなサブフレームを含む、請求項１又は２に記載の装置。
【請求項４】
前記周期的なシグナリングパターンは、５ｍｓ又は１０ｍｓの周期を有する、請求項１から３のいずれかに記載の装置。
【請求項５】
前記フレキシブルなサブフレーム構成は、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、及び物理的ダウンリンク共有チャンネルリソース割り当てグラントシグナリング、のうちの少なくとも１つを含まないサブフレームより成る、請求項１から４のいずれかに記載の装置。
【請求項６】
アップリンクヘビー構成に対応するシグナリングが全てのアップリンクシグナリングに対して選択される、請求項１から５のいずれかに記載の装置。
【請求項７】
ダウンリンクヘビー構成に対応するシグナリングが全てのダウンリンクシグナリングに対して選択される、請求項１から６のいずれかに記載の装置。
【請求項８】
前記アップリンク及びダウンリンクシグナリングは、ユーザ特有の仕方で実行される、請求項１から７のいずれかに記載の装置。
【請求項９】
時分割デュープレックス構成“２”に対応するシグナリングタイミングが全てのダウンリンクシグナリングに対して選択される、請求項１から８のいずれかに記載の装置。
【請求項１０】
時分割デュープレックス構成“０”に対応するシグナリングタイミングが全てのアップリンクシグナリングに対して選択される、請求項１から９のいずれかに記載の装置。
【請求項１１】
前記装置は、ユーザ装置、リレーノード、サーバー、ホスト、ノード又はウェブスティックを含む、請求項１から１０のいずれかに記載の装置。
【請求項１２】
前記装置にロードされたときに、請求項１から１０に記載のモジュールを構成するプログラムインストラクションを含むコンピュータプログラム。
【請求項１３】
次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリング、のうちの少なくとも２つに向けられたサブフレームから２つ以上のサブフレームを選択する段階と；
前記選択された２つ以上のサブフレームを使用することによりアップリンク及びダウンリンクシグナリングのためのフレキシブルなサブフレーム構成を得るために周期的なシグナリングパターンを形成する段階と；
を含む方法。
【請求項１４】
前記周期的なシグナリングパターンは、次のもの、即ちハイブリッド自動リピート要求シグナリングタイミング、アップリンクハイブリッド自動リピート要求プロセス番号、ダウンリンクハイブリッド自動リピート要求プロセス番号、アップリンクスケジューリングタイミング、及びダウンリンクスケジューリングタイミング、のうちの少なくとも１つに関連している、請求項１３に記載の方法。
【請求項１５】
前記フレキシブルなサブフレーム構成は、更に、アップリンク及びダウンリンクシグナリングのためのアップリンクサブフレーム、ダウンリンクサブフレーム、特殊なサブフレーム及びフレキシブルなサブフレームを含む、請求項１３又は１４に記載の方法。
【請求項１６】
前記周期的なシグナリングパターンは、５ｍｓ又は１０ｍｓの周期を有する、請求項１３から１５のいずれかに記載の方法。
【請求項１７】
前記フレキシブルなサブフレーム構成は、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、及び物理的ダウンリンク共有チャンネルリソース割り当てグラントシグナリング、のうちの少なくとも１つを含まないサブフレームより成る、請求項１３から１６のいずれかに記載の方法。
【請求項１８】
アップリンクヘビー構成に対応するシグナリングを全てのアップリンクシグナリングに対して選択する、請求項１３から１７のいずれかに記載の方法。
【請求項１９】
ダウンリンクヘビー構成に対応するシグナリングを全てのダウンリンクシグナリングに対して選択する、請求項１３から１８のいずれかに記載の方法。
【請求項２０】
前記アップリンク及びダウンリンクシグナリングは、ユーザ特有の仕方で実行される、請求項１３から１９のいずれかに記載の方法。
【請求項２１】
時分割デュープレックス構成“２”に対応するシグナリングタイミングを全てのダウンリンクシグナリングに対して選択する、請求項１３から２０のいずれかに記載の方法。
【請求項２２】
時分割デュープレックス構成“０”に対応するシグナリングタイミングを全てのアップリンクシグナリングに対して選択する、請求項１３から２１のいずれかに記載の方法。
【請求項２３】
請求項１３から２２のいずれかに記載の方法を実行するための手段を備えた装置。
【請求項２４】
コンピュータで読み取り可能な記憶媒体上に実施されるコンピュータプログラムであって、このコンピュータプログラムは、プロセスを実行するようにプロセスをコントロールするためのプログラムコードを含み、前記プロセスは、
次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリング、のうちの少なくとも２つに向けられたサブフレームから２つ以上のサブフレームを選択し；及び
前記選択された２つ以上のサブフレームを使用することによりアップリンク及びダウンリンクシグナリングのためのフレキシブルなサブフレーム構成を得るように周期的なシグナリングパターンを形成する；
ことを含むものであるコンピュータプログラム。
【請求項２５】
前記周期的なシグナリングパターンは、次のもの、即ちハイブリッド自動リピート要求シグナリングタイミング、アップリンクハイブリッド自動リピート要求プロセス番号、ダウンリンクハイブリッド自動リピート要求プロセス番号、アップリンクスケジューリングタイミング、及びダウンリンクスケジューリングタイミング、のうちの少なくとも１つに関連している、請求項２４に記載のコンピュータプログラム。
【請求項２６】
前記フレキシブルなサブフレーム構成は、更に、アップリンク及びダウンリンクシグナリングのためのアップリンクサブフレーム、ダウンリンクサブフレーム、特殊なサブフレーム及びフレキシブルなサブフレームを含む、請求項２４又は２５に記載のコンピュータプログラム。
【請求項２７】
前記周期的なシグナリングパターンは、５ｍｓ又は１０ｍｓの周期を有する、請求項２４から２６のいずれかに記載のコンピュータプログラム。
【請求項２８】
前記フレキシブルなサブフレーム構成は、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、及び物理的ダウンリンク共有チャンネルリソース割り当てグラントシグナリング、のうちの少なくとも１つを含まないサブフレームより成る、請求項２４から２７のいずれかに記載のコンピュータプログラム。
【請求項２９】
アップリンクヘビー構成に対応するシグナリングを全てのアップリンクシグナリングに対して選択することを更に含む、請求項２４から２８のいずれかに記載のコンピュータプログラム。
【請求項３０】
ダウンリンクヘビー構成に対応するシグナリングを全てのダウンリンクシグナリングに対して選択することを更に含む、請求項２４から２９のいずれかに記載のコンピュータプログラム。
【請求項３１】
前記アップリンク及びダウンリンクシグナリングは、ユーザ特有の仕方で実行される、請求項２４から３０のいずれかに記載のコンピュータプログラム。
【請求項３２】
時分割デュープレックス構成“２”に対応するシグナリングタイミングを全てのダウンリンクシグナリングに対して選択することを更に含む、請求項２４から３１のいずれかに
記載のコンピュータプログラム。
【請求項３３】
時分割デュープレックス構成“０”に対応するシグナリングタイミングを全てのアップリンクシグナリングに対して選択することを更に含む、請求項２４から３２のいずれかに
記載のコンピュータプログラム。
【発明の詳細な説明】
【技術分野】
【０００１】
本発明は、装置、方法、システム、コンピュータプログラム、コンピュータプログラム製品、及びコンピュータ読み取り可能な媒体に関する。
【背景技術】
【０００２】
背景技術の以下の説明は、本発明以前に当該技術に知られておらず本発明によって提供される開示と共に、洞察、発見、理解又は開示或いは連想を包含する。本発明の幾つかのそのような貢献は、特に、以下に指摘するが、本発明の他のそのような貢献は、それらの文脈から明らかとなるであろう。
【０００３】
長期進化（ＬＴＥ）及び長期進化アドバンスト（ＬＴＥ−Ａ）は、周波数分割デュープレックスＦＤＤのためのペアスペクトル、及び時分割デュープレックスＴＤＤ動作のための非ペアスペクトルの両方を受け容れるように定義されている。ＬＴＥ−ＴＤＤは、ＴＤ−ＬＴＥとしても知られている。１つの設計目標は、ＬＴＥ−ＴＤＤとＬＴＥ−ＦＤＤとの間の共通性を最大にして、共同標準化及び具現化努力を最小にすると共に、適合性、ひいては、同じ通信システムにおけるこれら２つのＬＴＥモードの共存性を最大にすることである。更に、ＬＴＥ−ＴＤＤは、時分割同期コード分割多重アクセス（ＴＤ−ＳＣＤＭＡ）にも適合するようにされる。
【発明の概要】
【０００４】
本発明の１つの態様によれば、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、装置が、少なくとも：次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから少なくとも２つ以上のサブフレームを選択し；そしてその選択された２つ以上のサブフレームを使用することによりアップリンク及びダウンリンクシグナリングのためのフレキシブルなサブフレーム構成を得るように周期的なシグナリングパターンを形成する；ようにさせるよう構成された装置が提供される。
【０００５】
本発明の更に別の態様によれば、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択し；そしてその選択された２つ以上のサブフレームを使用することによりアップリンク及びダウンリンクシグナリングのためのフレキシブルなサブフレーム構成を得るように周期的なシグナリングパターンを形成する；ことを含む方法が提供される。
【０００６】
本発明の更に別の態様によれば、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択する手段と；その選択された２つ以上のサブフレームを使用することによりアップリンク及びダウンリンクシグナリングのためのフレキシブルなサブフレーム構成を得るように周期的なシグナリングパターンを形成する手段と；を備えた装置が提供される。
【０００７】
本発明の更に別の態様によれば、コンピュータ読み取り可能な記憶媒体上に実施されるコンピュータプログラムであって、このコンピュータプログラムは、プロセスを実行するようにプロセスをコントロールするためのプログラムコードを含み、そのプロセスは、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択し；その選択された２つ以上のサブフレームを使用することによりアップリンク及びダウンリンクシグナリングのためのフレキシブルなサブフレーム構成を得るように周期的なシグナリングパターンを形成する；ことを含むものであるコンピュータプログラム。
【０００８】
以下、添付図面を参照して、本発明の幾つかの実施形態を一例として詳細に説明する。
【図面の簡単な説明】
【０００９】
【図１】システムの一例を示す。
【図２】フローチャートである。
【図３】タイミングの一例を示す。
【図４】タイミングの別の例を示す。
【図５】タイミングの更に別の例を示す。
【図６】タイミングの更に別の例を示す。
【図７】タイミングの更に別の例を示す。
【図８】装置の一例を示す。
【発明を実施するための形態】
【００１０】
以下の実施形態は、例示に過ぎない。本明細書の多数の位置に「一実施形態」「１つの実施形態」又は「幾つかの実施形態」という表現が出てくるが、これは、必ずしも、そのような各表現が同じ実施形態を指すこと、又は特徴が単一の実施形態のみに適用されることを意味しない。異なる実施形態の単一の特徴を組み合わせて他の実施形態を形成することもできる。
【００１１】
これらの実施形態は、ユーザターミナル、リレーノード、サーバーノード、対応コンポーネントのようなユーザ装置、及び／又は通信システム、又は必要な機能をサポートする異なる通信システムの組み合わせにも適用できる。通信システムは、ワイヤレス通信システムでもよいし、又は固定ネットワーク及びワイヤレスネットワークの両方を使用する通信システムでもよい。使用するプロトコル、通信システム、特に、ワイヤレス通信におけるサーバーやユーザターミナルのような装置の仕様は、急速に発展している。そのような発展は、実施形態に対して特別な変更を要求する。それ故、全ての語及び表現は、広く解釈しなければならず、それらは、実施形態を例示するもので、限定するものではない。
【００１２】
以下、異なる規範的実施形態が適用されるアクセスアーキテクチャーの例として、ダウンリンクでは直交周波数多重アクセス（ＯＦＤＭＡ）に基づく及びアップリンクでは単一キャリア周波数分割多重アクセス（ＳＣ−ＦＤＭＡ）に基づく長期進化アドバンスト（ＬＴＥアドバンスト、ＬＴＥ−Ａ）をベースとする無線アクセスアーキテクチャーを使用して、それらの規範的実施形態を説明するが、それら実施形態をそのようなアーキテクチャーに限定するものではない。当業者であれば、それら実施形態は、パラメータ及び手順を適宜に調整することにより適当な手段を有する他の種類の通信ネットワークにも適用できることが明らかであろう。
【００１３】
直交周波数分割多重（ＯＦＤＭ）システムでは、使用可能なスペクトルが多数の直交サブキャリアに分割される。ＯＦＤＭシステムでは、使用可能な帯域巾は、狭いサブキャリアに分割され、そしてデータは、並列ストリームで送信される。各ＯＦＤＭ記号は、各サブキャリアにおける信号の直線的な組み合わせである。更に、各ＯＦＤＭ記号は、記号間干渉を減少するのに使用されるサイクリックプレフィックス（ＣＰ）が先行する。ＯＦＤＭとは異なり、ＳＣ−ＦＤＭＡサブキャリアは、独立して変調されない。
【００１４】
典型的に、（ｅ）ＮｏｄｅＢ（“ｅ”は、進化を表わす）は、ユーザ装置への送信をスケジュールするために、割り当てられたサブ帯域にわたり各ユーザ装置のチャンネルクオリティ及び／又は好ましいプリコーディングマトリクス（及び／又は他の複数入力−複数出力（ＭＩＭＯ）特有フィードバック情報、例えば、チャンネル定量化）を知る必要がある。要求された情報は、通常、（ｅ）ＮｏｄｅＢへシグナリングされる。
【００１５】
図１は、簡単なシステムアーキテクチャーの例を示すもので、全てが論理的ユニットである幾つかのエレメント及び機能的エンティティのみを示し、その具現化は、図示されたものとは異なってもよい。図１に示す接続は、論理的接続であり、実際の物理的接続は、それとは異なる。当業者であれば、システムは、典型的に、図１に示した以外の機能及び構造を含んでもよいことが明らかであろう。
【００１６】
しかしながら、実施形態は、一例として示されたシステムに限定されず、当業者であれば、必要なプロパティが設けられた他の通信システムに解決策を適用してもよい。
【００１７】
図１は、Ｅ−ＵＴＲＡ、ＬＴＥ、ＬＴＥ−アドバンスト（ＬＴＥ−Ａ）又はＬＴＥ／ＥＰＣ（ＥＰＣ＝進化型パケットコア、ＥＰＣは、インターネットプロトコルトラフィックの高速データレート及び成長に対処するパケット交換技術の改善）に基づく無線アクセスネットワークの一部分を示す。Ｅ−ＵＴＲＡは、リリース８のエアインターフェイスである（ＵＴＲＡ＝ＵＭＴＳ地上無線アクセス、ＵＭＴＳ＝ユニバーサル移動テレコミュニケーションシステム）。ＬＴＥ（又はＥ−ＵＴＲＡ）により得られる幾つかの効果は、プラグ・アンド・プレイ装置、周波数分割デュープレックス（ＦＤＤ）及び時分割デュープレックス（ＴＤＤ）を同じプラットホームにおいて使用できることである。
【００１８】
図１は、セルを形成する（ｅ）ＮｏｄｅＢとセル内の１つ以上の通信チャンネル１０４、１０６を経てワイヤレス接続されるように構成されたユーザ装置１００及び１０２を示す。ユーザ装置から（ｅ）ＮｏｄｅＢへの物理的リンクは、アップリンク又は逆方向リンクと称され、そしてＮｏｄｅＢからユーザ装置への物理的リンクは、ダウンリンク又は順方向リンクと称される。
【００１９】
ＬＴＥ−アドバンストにおけるＮｏｄｅＢ又はアドバンスト進化型ノードＢ（ｅＮｏｄｅＢ、ｅＮＢ）は、それが結合される通信システムの無線リソースをコントロールするように構成されたコンピューティング装置である。又、（ｅ）ＮｏｄｅＢは、ワイヤレス環境で動作できるリレーステーションを含めて、ベースステーション、アクセスポイント、又は他の形式のインターフェイス装置とも称される。
【００２０】
（ｅ）ＮｏｄｅＢは、例えば、トランシーバを含む。（ｅ）ＮｏｄｅＢのトランシーバからアンテナユニットへの接続が与えられ、アンテナユニットは、ユーザ装置への両方向無線リンクを確立する。アンテナユニットは、複数のアンテナ又はアンテナ素子より成る。（ｅ）ＮｏｄｅＢは、更に、コアネットワーク１１０（ＣＮ）に接続される。システムにもよるが、ＣＮ側の対応部は、ユーザ装置（ＵＥ）を外部パケットデータネットワーク又は移動管理エンティティ（ＭＭＥ）等に接続するためのサービングゲートウェイ（ユーザデータパケットをルーティング及び転送するＳ−ＧＷ）、パケットデータネットワークゲートウェイ（Ｐ−ＧＷ）である。
【００２１】
通信システムは、典型的に、２つ以上の（ｅ）ＮｏｄｅＢを備え、この場合、（ｅ）ＮｏｄｅＢは、その目的に対して設計されたワイヤード又はワイヤレスのリンクを経て互いに通信するようにも構成される。それらのリンクは、シグナリングの目的で使用される。
【００２２】
又、通信システムは、公衆交換電話ネットワーク又はインターネット１１２のような他のネットワークと通信することもできる。通信ネットワークは、クラウドサービスの使用をサポートすることもできる。（ｅ）ＮｏｄｅＢ又はそれらの機能は、そのような使用に適したノード、ホスト、サーバー又はアクセスポイント、等のエンティティを使用することにより具現化されることが明らかである。
【００２３】
ユーザ装置（ＵＥ、ユーザデバイス、ユーザターミナル、ターミナル装置、等とも称される）は、エアインターフェイス上のリソースが割り当てられそして指定される一形式の装置を表わし、従って、ユーザ装置と共にここに述べる特徴は、リレーノードのような対応装置で具現化される。そのようなリレーノードの一例は、ベースステーションに向かうレイヤ３リレー（自己バックホールリレー）である。
【００２４】
ユーザ装置は、典型的に、これに限定されないが、次の形式の装置、即ち移動ステーション（移動電話）、スマートホン、パーソナルデジタルアシスタント（ＰＤＡ）、ハンドセット、ワイヤレスモデムを使用する装置（アラーム又は測定装置、等）、ラップトップ及び／又はタッチスクリーンコンピュータ、タブレット、ゲームコンソール、ノートブック、及びマルチメディア装置を含めて、加入者識別モジュール（ＳＩＭ）と共に又はそれを伴わずに動作するワイヤレス移動通信装置を含むポータブルコンピューティング装置を指す。
【００２５】
ユーザ装置（又は幾つかの実施形態では、レイヤ３リレーノード）は、ユーザ装置機能の１つ以上を遂行するように構成される。又、ユーザ装置は、幾つか挙げると、加入者ユニット、移動ステーション、リモートターミナル、アクセスターミナル、ユーザターミナル、又はユーザ装置（ＵＥ）とも称される。
【００２６】
図１において、ユーザ装置は、単に明瞭化のために２つのアンテナを含むように示されていることを理解されたい。受信及び／又は送信アンテナの数は、当然、その時点の具現化に基づいて変化する。
【００２７】
更に、装置は、単一のエンティティとして示されているが、異なるユニット、プロセッサ及び／又はメモリユニット（図１には示さず）が具現化されてもよい。
【００２８】
当業者に明らかなように、ここに示したシステムは、無線アクセスシステムの一部分の一例に過ぎず、実際には、このシステムは、複数の（ｅ）ＮｏｄｅＢを備え、ユーザ装置は、複数の無線セルへアクセスすることができ、そしてシステムは、物理的レイヤのリレーノード、他のネットワークエレメント、等の他の装置も備えている。ＮｏｄｅＢ又はｅＮｏｄｅＢの少なくとも１つは、ホーム（ｅ）ＮｏｄｅＢである。更に、無線通信システムの地理的エリアでは、複数の異なる種類の無線セル及び複数の無線セルが設けられる。無線セルは、通常、数十キロメーターまでの直径を有する大きなセルであるマクロセル（又は傘型セル）であるか、又はマイクロ、フェムト又はピコセルのような小さなセルである。図１の（ｅ）ＮｏｄｅＢ１０８は、任意の種類のこれらのセルを形成する。セルラー無線システムは、多数の種類のセルを含むマルチレイヤネットワークとして具現化される。典型的に、マルチレイヤネットワークでは、１つのノードＢは、１つの種類のセル（１つ又は複数）を形成し、従って、そのようなネットワーク構造を形成するには複数のノードＢが必要とされる。
【００２９】
ハイブリッド自動リピート要求（ＨＡＲＱ）は、パケットデータ送信の性能を向上させるための特徴である。通常、ＨＡＲＱは、レイヤ１（物理的レイヤ）においてパケット再送信をコントロールし及び開始して、それより上位レイヤの送信により生じる再送信遅延を減少する。例えば、干渉により生じるリンクエラーの場合には、受信エンティティが、崩壊したデータパケットの再送信を要求する。ＨＡＲＱは、一種の「停止して待機」プロトコルであり、その後の送信は、受信エンティティからＡＣＫ／ＮＡＣＫを受信した後でなければ行われない。
【００３０】
長期進化（ＬＴＥ）及び長期進化アドバンスト（ＬＴＥ−Ａ）は、周波数分割デュープレックスＦＤＤのためのペアスペクトル、及び時分割デュープレックスＴＤＤ動作のための非ペアスペクトルの両方を受け容れるように定義されている。ＬＴＥ−ＴＤＤは、ＴＤ−ＬＴＥとしても知られている。１つの設計目標は、ＬＴＥ−ＴＤＤとＬＴＥ−ＦＤＤとの間の共通性を最大にして、共同標準化及び具現化努力を最小にすると共に、適合性、ひいては、同じ通信システムにおけるこれら２つのＬＴＥモードの共存性を最大にすることである。更に、ＬＴＥ−ＴＤＤは、時分割同期コード分割多重アクセス（ＴＤ−ＳＣＤＭＡ）にも適合するようにされる。
【００３１】
ＬＴＥ  ＴＤＤの効果の１つは、アップリンク及びダウンリンクのバランス及び特性を負荷条件に基づいて動的に変更するオプションである。５ｍｓ又は１０ｍｓのいずれかのスイッチポイント周期性を使用するＬＴＥ−ＴＤＤ仕様書には、７つのアップリンク／ダウンリンク構成が定義されている。５ｍｓのスイッチポイント周期性の場合には、両方の半フレームに「特殊な」サブフレームが存在する。一方、１０ｍｓの周期性の場合には、第１の半フレームのみに、あるサブフレームが存在する。以下のテーブル１は、一例としてここに示すＴＤ−ＬＴＥ（Ｒｅｌ−８／９／１０）に対するアップリンク／ダウンリンク構成パターンを示す。
【００３２】
これらの構成パターンは、半スタティックである。ＬＴＥフレームの１つの形式は、全長が１０ｍｓで、２つの半フレームより成り、それが５つのサブフレームに分割される。
2015173492.tif 000003
テーブル１
【００３３】
テーブル１において、Ｄは、ダウンリンク送信に対応し、Ｕは、アップリンク送信に対応し、そしてＳは、例えば、アップリンク送信とダウンリンク送信との間に必要な切り換え時間を与えるのに使用される「特殊な」サブフレームである。テーブル１のタイミング図において、１つのフレームが１０個のサブフレームに分割され、各サブフレームは、１ｍｓで、０から９まで番号付けされ、そしてサブフレームパターンは、必要に応じて何回も繰り返されると考えられる。
【００３４】
ここで参照する技術仕様書は、３ＧＰＰ  ＴＳ  ３６．２１  １（フレーム構造形式２）である。選択された構成パターンは、通常、ネットワークエレメントによりユーザ装置へ選択及び搬送される。
【００３５】
現在のＬＴＥ−ＴＤＤリリースでは、ダイナミックなアップリンク／ダウンリンク構成がまだ提供されていない。これまで、アップリンク／ダウンリンクスイッチングポイントは、関連ネットワークにわたって整合される必要がある。今のところ、ダイナミックなアップリンク／ダウンリンクリソース割り当ては、リリース１１の候補特徴である。ダイナミックなアップリンク／ダウンリンク割り当ては、著しいスループット利得を与えると考えられる。
【００３６】
特許出願公告ＷＯ２０１０／０４９５８７号は、ＬＴＥ−ＴＤＤのための幾つかのアップリンク及びダウンリンクサブフレームのダイナミックな割り当てに関して１つの提案を提示し、ここでは、干渉に敏感なコントロールチャンネルはフレキシブルな割り当てから保護される（固定のサブフレーム）が、他のフレームは、そのような使用に適している（フレキシブルなサブフレーム）。テーブル２は、フレキシブルなアップリンク／ダウンリンク割り当てを受けるサブフレームを示す。
2015173492.tif 000004
テーブル２
【００３７】
テーブル２において、Ｄは、ダウンリンク送信に対応し、Ｕは、アップリンク送信に対応し、Ｓは、例えば、アップリンク送信とダウンリンク送信との間に必要な切り換え時間を与えるのに使用される「特殊な」サブフレームであり、そしてＦは、フレキシブルなサブフレームを表わす。テーブル２のタイミング図において、１つのフレームが１０個のサブフレームに分割され、各サブフレームは、１ｍｓで、０から９まで番号付けされ、そしてサブフレームパターンは、必要に応じて何回も繰り返されると考えられる。
【００３８】
フレキシブルな構成に適したサブフレームを定義する参考としてＷＯ２０１０／０４９５８７号を取り上げる。フレキシブルな構成に適したサブフレームは、重要なコントロール信号をクロスリンク干渉から保護する目的で選択される。
【００３９】
しかしながら、ＷＯ２０１０／０４９５８７号は、アップリンク／ダウンリンクタイミング及びＨＡＲＱ機能のサポートを実際上どのように構成できるかについては、未解決のままである。
【００４０】
アップリンク／ダウンリンクＨＡＲＱ設計に適した幾つかの実施形態は、図２を参照して更に詳細に述べる。
【００４１】
図２の実施形態は、通常、ユーザ装置、ホームノード、リレーノード、ウェブスティック、サーバー、ホスト、ノード又は他の対応エンティティに関連している。この実施形態は、ブロック２００で始まる。
【００４２】
ブロック２０２において、次のもの、即ち物理的アップリンクコントロールチャンネル（ＰＵＣＣＨ）確認／非確認（ＡＣＫ／ＮＡＣＫ）シグナリング、物理的ハイブリッド自動リピート要求インジケータチャンネル（ＰＨＩＣＨ）確認／非確認（ＡＣＫ／ＮＡＣＫ）シグナリング、物理的アップリンク共有チャンネル（ＰＵＳＣＨ）リソース割り当てグラントシグナリング、物理的ダウンリンク共有チャンネル（ＰＤＳＣＨ）リソース割り当てグラントシグナリングの中の少なくとも２つに向けられたサブフレームから２つ以上のサブフレームが選択され、そしてアップリンク及びダウンリンクシグナリングのためのフレキシブルなサブフレーム構成を得るように周期的シグナリングパターンが形成される。
【００４３】
周期的なシグナリングパターンは、ハイブリッド自動リピート要求シグナリングタイミング、アップリンクハイブリッド自動リピート要求プロセス番号、ダウンリンクハイブリッド自動リピート要求プロセス番号、アップリンクスケジューリングタイミング、及び／又はダウンリンクスケジューリングタイミングに使用される。ＨＡＲＱタイミングは、ＰＵＣＣＨ  ＡＣＫ／ＮＡＣＫタイミング（ＰＵＣＣＨを経て送信されるダウンリンク共有チャンネルとアップリンクＡＣＫ／ＮＡＣＫとの間のタイミング）、ＰＨＩＣＨ  ＡＣＫ／ＮＡＣＫタイミング（ＰＨＩＣＨを経て送信されるアップリンク共有チャンネルとダウンリンクＡＣＫ／ＮＡＣＫとの間のタイミング）を含む。アップリンク／ダウンリンクスケジューリングタイミングは、ＰＤＣＣＨを経て送信されるスケジューリンググラントと、ＰＵＳＣＨ／ＰＤＳＣＨを経て送信される対応アップリンク／ダウンリンクデータ送信との間のタイミングに関連している。又、アップリンク／ダウンリンクスケジューリンググラントは、異なるタイミング関係を受ける多数の情報エレメントを含む。
【００４４】
フレキシブルなサブフレーム構成は、アップリンク及びダウンリンクシグナリングのためのアップリンクサブフレーム、ダウンリンクサブフレーム、「特殊な」サブフレーム、及びフレキシブルなサブフレームを含む。フレキシブルなサブフレーム構成の幾つかの例は、図３ないし７を参照して以下に詳細に説明する。それらの例において、シグナリングパターンの周期は、５ｍｓであるが、１０ｍｓでもよい。周期が１０ｍｓである場合には、フレキシブルなサブフレーム構成は、５ｍｓの場合に対応するように形成される。
【００４５】
フレキシブルなサブフレーム構成は、次のシグナリング、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、及び／又は物理的ダウンリンク共有チャンネルリソース割り当てグラントシグナリングを含まないサブフレームより成る。換言すれば、サブフレームは、前記シグナリングから保護される。
【００４６】
更に、アップリンク／ダウンリンクシグナリングは、ユーザ特有の仕方で実施される。例えば、フレキシブルな構成が現在ＴＤＤネットワークに適用される場合、ネットワークに「非フレキシブルモード」でキャンピングするフレキシブル構成ケーパブルユーザ装置は、先ず、既存のセル特有のアップリンク及び／又はダウンリンク構成に順応する。ノードがフレキシブルな構成をサポートできることを検出すると、ノードは、無線リソースコントロール再構成の一部分としてユーザ特有の仕方でフレキシブルな構成を実行する。そのフレキシブルな構成は、セル特有のコントロールシグナリングにも使用できる。
【００４７】
以下、フレキシブルなアップリンク及び／又はダウンリンク構成（「フレックス構成」又は「フレックスＴＤＤ構成」）のためのハイブリッド自動リピート要求（ＨＡＲＱ）及びタイミング設計の実施例を、スイッチングポイント周期が５ｍｓのテーブル１の構成を使用して説明する。
【００４８】
一例において、アップリンク／ダウンリンク時分割デュープレックス構成“０”（アップリンクヘビー構成とも称される）に対応するＨＡＲＱシグナリング（タイミング）が、全てのアップリンク関連シグナリングに対して選択されて、ＰＵＳＣＨシグナリング、ＰＨＩＣＨ  ＡＣＫ／ＮＡＣＫシグナリング及びＰＵＳＣＨパワーコントロール（ＰＣ）シグナリングがアップリンク／ダウンリンク構成“０”に基づいてサブフレームに対してスケジュールされると共に、アップリンクＨＡＲＱに対するＨＡＲＱプロセスの数が、７つのＨＡＲＱプロセスをサポートするアップリンク／ダウンリンク構成“０”に従って定義されるようにする。
【００４９】
別の例では、ダウンリンク構成“２”（ダウンリンクヘビー構成とも称される）に対応するＨＡＲＱシグナリング及びタイミングが、全てのダウンリンク関連シグナリングに対して選択されて、物理的アップリンクコントロールチャンネル（ＰＵＣＣＨ）及びダウンリンクＡＣＫ／ＮＡＣＫシグナリングがアップリンク／ダウンリンク時分割デュープレックス構成“２”に基づいてサブフレームに対してスケジュールされると共に、ダウンリンクＨＡＲＱに対するＨＡＲＱプロセスの数が、１０個のＨＡＲＱプロセスをサポートするアップリンク／ダウンリンク構成“２”に従って定義されるようにする。
【００５０】
更に別の例では、ダウンリンクコントロール情報（ＤＣＩ）フォーマット０に含まれる（アップリンク）ダウンリンク関連インデックス（ＤＡＩ）に対応するタイミングが導入され、及び／又はダウンリンクＡＣＫ／ＮＡＣＫシグナリングに対応するタイミングが、アップリンクＤＡＩシグナリングとうまく一致するように変更される。
【００５１】
ここに提案するサブフレーム設計は、ＬＴＥ−ＴＤＤリリース８、９及び１０のような早期のリリースに対して上位互換性となるように計画されることが明らかであろう。
【００５２】
テーブル３には、フレキシブルなＨＡＲＱ構成のためのＬＴＥ−ＴＤＤサブフレームに対応するＨＡＲＱプロセスのタイミング図の一例が示されている。テーブル３は、テーブル２のフレキシブルなサブフレームを示す最後の行をベースとする。
2015173492.tif 000005
2015173492.tif 000006
テーブル３
【００５３】
テーブル３のタイミング図は、ハイブリッド自動リピート要求（ＨＡＲＱ）シグナリングのフレキシブルなサブフレーム構成を得るための周期的なシグナリングパターンの一例である。
【００５４】
以下、幾つかのシグナリング提案を、図３ないし７を参照して更に詳細に示す。これらの図において、Ｄは、ダウンリンク送信に対応し、Ｕは、アップリンク送信に対応し、Ｓは、例えば、アップリンク送信とダウンリンク送信との間に必要な切り換え時間を与えるために使用される「特別な」サブフレームであり、そしてＦは、フレキシブルなサブフレームを表わす。１つのフレームが１０個のサブフレームに分割されて示され、各サブフレームは、１ｍｓで、０から９まで番号付けされ、そしてサブフレームパターンは、必要に応じて何回も繰り返されると考えられる。
【００５５】
図３から５の例において、フレキシブル（ＦＬＥＸ）構成に対応する全てのアップリンク関連シグナリングに対して、ＴＤＤ構成“０”に対応するシグナリングタイミング（テーブル２を参照）が選択される。
【００５６】
図３は、フレキシブルな構成に対するＰＵＳＣＨトリガーの一例を示す。フレキシブルなサブフレーム構成３００を得るための周期的シグナリングパターンのこの例は、５ｍｓのスイッチングポイント周期３０２を有する。物理的アップリンク共有チャンネル（ＰＵＳＣＨ）シグナリングは、物理的ハイブリッド自動リピート要求インジケータチャンネル（ＰＨＩＣＨ）、又はフレキシブルな構成に適したアップリンクグラントシグナリングサブフレームに対してスケジュールされる。これは、フレキシブルなサブフレーム３０８においてＰＵＳＣＨトリガーを与えるために、サブフレーム３０４での最初のダウンリンク送信をどのように発信するか表わす矢印３０６によって示されている。
【００５７】
図４は、フレキシブルな構成に対するＰＨＩＣＨタイミングの一例を示す。フレキシブルなサブフレーム構成３００を得るための周期的シグナリングパターンのこの例は、５ｍｓのスイッチングポイント周期３０２を有する。アップリンクサブフレーム４００に関連してＡＣＫ／ＮＡＣＫを搬送する物理的ハイブリッド自動リピート要求インジケータチャンネル（ＰＨＩＣＨ）シグナリングは、特殊なサブフレーム４０２に対してスケジュールされる。タイミング関係は、矢印４０４により示されている。
【００５８】
図５は、フレキシブルな構成に対するＰＵＳＣＨパワーコントロールコマンドシグナリングの一例を示す。図５は、フレキシブルなサブフレーム構成３００を得るための周期的なシグナリングパターンの一例を示す。サブフレーム５００に関連した物理的アップリンク共有チャンネル（ＰＵＳＣＨ）パワーコントロール（ＰＣ）コマンドは、ダウンリンクサブフレーム５０２によって搬送される。タイミング関係は、矢印５０４により示されている。
【００５９】
図６は、ＴＤＤ構成“２”（テーブル２を参照）に対応するシグナリングのタイミングが全てのダウンリンク関連シグナリングに対して選択される例を示す。この例は、フレキシブルな構成のためのＰＵＣＣＨ  ＡＣＫ／ＮＡＣＫタイミングを示す。アップリンクサブフレーム６００を経て搬送可能なＰＵＣＣＨ  ＡＣＫ／ＮＡＣＫシグナリングは、以前のサブフレームからの１つのフレキシブルなサブフレーム、並びに考慮中のサブフレームの１つのダウンリンクサブフレーム及び１つの特殊なサブフレーム（矢印６０４）を含む１つ以上のサブフレーム６０２；及び／又は考慮中のサブフレームのフレキシブルなサブフレーム６０６（矢印６０８）；を含む。ＰＵＣＣＨフォーマット３及びチャンネル選択は、両方とも、ＬＴＥ−ＴＤＤ仕様書のリリース１１において起動されようとしているフレキシブル又はフレックス校正に対応するＡＣＫ／ＮＡＣＫを搬送する。
【００６０】
上述した原理は、ほとんどのＨＡＲＱシグナリングの場合に実現可能であり又は充分であることが明らかである。しかしながら、ある特殊なケースが存在し、更なる測定が要求される。Ｒｅｌ−８／９／１０  ＬＴＥ−ＴＤＤのシグナリング設計の精神に従い、フレキシブルなアップリンク／ダウンリンク構成と共にダウンリンク連想インデックス（ＤＡＩ）ビットが必要とされる。
【００６１】
図７は、フレックス構成に対して考えられるＤＡＩタイミング設計の一例を示す。この図において、ｋ’は、アップリンク連想インデックスに対応し、そしてアップリンク／ダウンリンク構成“２”（テーブル２及び３を参照）に基づく以下のテーブル４は、フレックス構成のためのダウンリンク連想インデックスであるｋを定義するのに使用される。しかしながら、これは、予想スケジューラ動作を生じる。というのは、アップリンクＤＡＩを搬送するアップリンクグラントシグナリングは、最後に考えられるダウンリンクグラントシグナリングのスケジューリングの前に送信する必要があるからである。従って、ダウンリンク連想インデックスは、［８、７、４、６］が［９、８、７、６］に置き換えられるように、定義し直すこともできる。置き換えられるインデックスは、テーブル４において二重線で示される。
2015173492.tif 000007
テーブル４
【００６２】
ＤＡＩシグナリングがアップリンクサブフレーム７００に最初に入れられるＰＵＣＣＨＡＣＫ／ＮＡＣＫタイミングは、以前のサブフレームからの２つのフレキシブルなサブフレーム、並びに考慮中のサブフレームの１つのダウンリンクサブフレーム及び１つの特殊なサブフレーム（矢印７０６）を含む１つ以上のサブフレーム７０４；及び／又は考慮中のサブフレームの特殊なサブフレーム７０２（矢印７０８）；に入れられる。
【００６３】
この実施形態は、ブロック２０４で終了となる。この実施形態は、何回も繰り返すことができる。その１つの例が、図２に矢印２０６で示されている。
【００６４】
図２について上述したステップ／ポイント、シグナリングメッセージ及び関連する機能は、絶対的な期間的順序ではなく、幾つかのステップ／ポイントは、同時に遂行されてもよいし、前記とは異なる順序で遂行されてもよい。又、ステップ／ポイント間又はステップ／ポイント内で他の機能を遂行することもでき、そして図示されたメッセージ間で他のシグナリングメッセージを送信することもできる。ステップ／ポイントの幾つか又はステップ／ポイントの一部分を除外してもよいし、又は対応するステップ／ポイント又はステップ／ポイントの一部分と置き換えてもよい。
【００６５】
搬送、送信及び／又は受信は、ここでは、ケースバイケースで、データ搬送、送信及び／又は受信を準備すること、搬送、送信及び／又は受信されるべきメッセージを準備すること、或いは物理的な送信及び／又は受信それ自体、等を意味することを理解されたい。
【００６６】
一実施形態は、図２を参照して上述したプロセスを実行することのできるユーザ装置、ホームノード、ウェブスティック、サーバー、ノード、ホスト、又は他の適当な装置である装置を提供する。
【００６７】
図８は、一実施形態による装置の簡単なブロック図である。
【００６８】
一実施形態による装置の一例として、図２の実施形態の機能を遂行するコントロールユニット８０４のファシリティを含む（例えば、１つ以上のプロセッサを含む）ユーザ装置、リレーノード又はウェブスティックのような装置８００が示されている。
【００６９】
図８において、ブロック８０６は、受信及び送信に必要なパーツ／ユニット／モジュールを含み、これは、通常、無線前端、ＲＦ部分、無線部分、等と称される。このブロックは、任意である。
【００７０】
装置８００の別の例は、少なくとも１つのプロセッサ８０４と、コンピュータプログラムコードを含む少なくとも１つのメモリ８０２とを備え、その少なくとも１つのメモリ及びコンピュータプログラムコードは、少なくとも１つのプロセッサとで、装置が、少なくとも：次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択し；そしてその選択された２つ以上のサブフレームを使用することによりアップリンク及びダウンリンクシグナリングのためのフレキシブルなサブフレーム構成を得るように周期的なシグナリングパターンを形成する；ようにさせるよう構成される。
【００７１】
装置の更に別の例は、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択するための手段と；その選択された２つ以上のサブフレームを使用することによりアップリンク及びダウンリンクシグナリングのためのフレキシブルなサブフレーム構成を得るように周期的なシグナリングパターンを形成する手段と；を備えている。
【００７２】
装置の更に別の例は、次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリングの中の少なくとも２つに向けられたサブフレームから２つ以上のサブフレームを選択するように構成された選択器と；その選択された２つ以上のサブフレームを使用することによりアップリンク及びダウンリンクシグナリングのためのフレキシブルなサブフレーム構成を得るように周期的なシグナリングパターンを形成するように構成された形成ユニットと；を備えている。
【００７３】
この装置は、送信及び／又は受信に又はそのために使用される無線部分又は無線ヘッドのような他のユニット又はモジュール、等を備え又はそれに結合されることを理解されたい。これは、図８に任意のブロック８０６として示されている。
【００７４】
この装置は、図８に１つのエンティティとして示されているが、１つ以上の物理的又は論理的エンティティにおいて異なるモジュール及びメモリが具現化されてもよい。
【００７５】
装置は、一般的に、コントロール機能を実行するように設計された少なくとも１つのプロセッサ、コントローラ又はユニットを備え、これは、少なくとも１つのメモリユニット及び種々のインターフェイスに作動的に結合される。更に、メモリユニットは、揮発性及び／又は不揮発性メモリを含む。メモリユニットは、プロセッサがこれら実施形態による動作を遂行するためのコンピュータプログラムコード及び／又はオペレーティングシステム、情報、データ、コンテンツ、等を記憶する。各メモリユニットは、ランダムアクセスメモリ、ハードドライブ、等である。メモリユニットは、装置に対して少なくとも一部分除去可能に及び／又は取り外し可能に作動的に結合される。メモリは、現在の技術環境に適した任意の形式のものでよく、そして適当なデータ記憶技術、例えば、半導体ベースの技術、フラッシュメモリ、磁気及び／又は光学メモリ装置を使用して具現化される。メモリは、固定でもよいし、除去可能でもよい。
【００７６】
装置は、演算動作として、又は動作プロセッサにより実行されるプログラム（追加又は更新されたソフトウェアルーチンを含む）として構成されたソフトウェアアプリケーション又はモジュール又はユニットでよい。又、ソフトウェアルーチン、アプレット、及びマクロを含めて、プログラム製品又はコンピュータプログラムとも称されるプログラムは、装置で読み取れるデータ記憶媒体に記憶され、そして特定のタスクを遂行するためのプログラムインストラクションを含む。コンピュータプログラムは、オブジェクティブ−Ｃ、Ｃ、Ｃ＋＋、Ｊａｖａ（登録商標）、等の高レベルプログラミング言語、或いはマシン言語又はアッセンブラ、等の低レベルプログラミング言語であるプログラミング言語によりコード化される。
【００７７】
実施形態の機能を具現化するのに必要な変更及び構成は、ルーチンとして遂行され、そしてルーチンは、追加又は更新されたソフトウェアルーチン、アプリケーション回路（ＡＳＩＣ）、及び／又はプログラマブル回路として具現化される。更に、ソフトウェアルーチンは、装置へダウンロードされる。ノード装置、又は対応コンポーネントのような装置は、単一チップコンピュータエレメントのようなコンピュータ又はマイクロプロセッサとして、或いは少なくとも演算動作に使用する記憶容量を備えたメモリ及び演算動作を実行するための動作プロセッサを含むチップセットとして構成される。
【００７８】
それらの実施形態は、配布媒体上に実施されるコンピュータプログラムであって、電子装置へロードしたときに、上述した装置を構成するプログラムインストラクションを含むコンピュータプログラムを提供する。配布媒体は、非一時的媒体である。
【００７９】
他の実施形態は、コンピュータで読み取り可能な媒体上に実施されるコンピュータプログラムであって、上述した方法の実施形態を遂行するプロセッサをコントロールするように構成されたコンピュータプログラムを提供する。コンピュータで読み取り可能な媒体は、非一時的媒体である。
【００８０】
コンピュータプログラムは、ソースコード形態、オブジェクトコード形態又はある中間形態にあり、そしてそのプログラムを搬送できるエンティティ又は装置であるある種のキャリア、配布媒体又はコンピュータで読み取り可能な媒体に記憶される。そのようなキャリアは、例えば、レコード媒体、コンピュータメモリ、リードオンリメモリ、電気的キャリア信号、テレコミュニケーション信号、及びソフトウェア配布パッケージを含む。必要とされる処理パワーに基づいて、コンピュータプログラムは、単一の電子的デジタルコンピュータで実行されるか、又は多数のコンピュータ間に配布される。コンピュータで読み取り可能な媒体は、非一時的媒体である。
【００８１】
ここに述べる技術は、種々の手段によって具現化される。例えば、それらの技術は、ハードウェア（１つ以上の装置）、ファームウェア（１つ以上の装置）、ソフトウェア（１つ以上のモジュール）、又はその組み合わせで具現化される。ハードウェア具現化の場合に、装置は、１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、デジタルエンハンスト回路、ここに述べた機能を遂行するように設計された他の電子装置、又はその組み合わせにおいて具現化される。ファームウェア又はソフトウェアの場合には、ここに述べる機能を遂行する少なくとも１つのチップセットのモジュール（例えば、手順、機能、等）を通して具現化が実行される。ソフトウェアコードは、メモリユニットに記憶されて、プロセッサにより実行される。メモリユニットは、プロセッサ内で具現化されてもよいし又はプロセッサの外部で具現化されてもよい。後者のケースでは、メモリユニットは、この技術で知られた種々の手段を経てプロセッサに通信結合される。更に、ここに述べるシステムのコンポーネントは、それに関して述べる種々の観点を容易に達成するために付加的なコンポーネントにより再配列され及び／又は補足されてもよく、且つそれらは、当業者に明らかなように、添付図面に示す厳密な構成に限定されない。
【００８２】
当業者であれば、技術の進歩と共に、本発明の概念が種々の仕方で具現化されることが明らかであろう。本発明及びその実施形態は、上述した例に限定されず、特許請求の範囲内で変更することができる。
【符号の説明】
【００８３】
１００、１０２：ユーザ装置
１０４、１０６：通信チャンネル
１０８：（ｅ）ＮｏｄｅＢ
１１０：コアネットワーク
１１２：インターネット
８００：装置
８０２：メモリ
８０４：コントロールユニット
８０６：ブロック
【図１】
2015173492.tif 000008
【図２】
2015173492.tif 000009
【図３】
2015173492.tif 000010
【図４】
2015173492.tif 000011
【図５】
2015173492.tif 000012
【図６】
2015173492.tif 000013
【図７】
2015173492.tif 000014
【図８】
2015173492.tif 000015
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
次のもの、即ち物理的アップリンクコントロールチャンネル確認／非確認シグナリング、物理的ハイブリッド自動リピート要求インジケータチャンネル確認／非確認シグナリング、物理的アップリンク共有チャンネルリソース割り当てグラントシグナリング、物理的ダウンリンク共有チャンネルリソース割り当てグラントシグナリング、のうちの少なくとも２つに向けられたサブフレームから２つ以上のサブフレームを選択する段階と；
前記選択された２つ以上のサブフレームを使用することによりアップリンク及びダウンリンクシグナリングのためのフレキシブルなサブフレーム構成を得るためにシグナリングパターンを形成する段階と；
を含む装置。